【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
電気化学セル用の端子アセンブリであって、
導電性カップ形状部材であり、
前記電気化学セルの端子と接触しているときに前記端子と電気連通する端子壁、
側壁、および
前記側壁によって前記端子壁から離間しているリム
を含む導電性カップ形状部材と、
外面および内面を有し、前記外面において前記リムに接合する端子エンドプレートであり、前記接合によって、前記端子壁が前記端子と接触しているときに、前記端子と前記端子エンドプレート間の前記カップ形状部材内を通る双方向均一電流が可能になり、前記端子エンドプレートは、前記リムによって囲まれた第１の表面区域と、前記リムの外周の外側にある残りの第２の表面区域とを含む電気化学的に活性な領域を有し、前記第１および第２の表面区域は実質的に等しい、端子エンドプレートとを含む、端子アセンブリ。
【請求項２】
前記リムが、実質的に円形、実質的に楕円形、または実質的に長方形である、請求項１に記載の端子アセンブリ。
【請求項３】
前記リムは実質的に円形であり、前記リムの半径が、前記エンドプレートの前記電気化学的に活性な領域の周縁と前記リムの前記外周との間の距離に実質的に等しい、請求項２に記載の端子アセンブリ。
【請求項４】
前記リムが、実質的に楕円形であり、長軸、および前記長軸に対して直角である短軸によって画定され、前記長軸および前記短軸は、前記リムの中心で交差する、請求項１に記載の端子アセンブリ。
【請求項５】
前記リムの長半径が、前記長軸に沿って、前記短軸に対して平行な前記リムの前記外周から前記エンドプレートの前記電気化学的に活性な領域の周縁へと延びる、第１の距離と実質的に等しく、
前記リムの短半径が、前記短軸に沿って、前記長軸に対して平行な前記リムの前記外周から前記エンドプレートの前記電気化学的に活性な領域の周縁へと延びる、第２の距離と実質的に等しい、
請求項４に記載の端子アセンブリ。
【請求項６】
前記リムが、前記端子壁および前記側壁の内部面によって画定される内部領域の開口を画定し、前記端子エンドプレートの前記外面が、前記リムに接合されたとき、前記内部領域の前記開口を囲む、請求項１から５のいずれか一項に記載の端子アセンブリ。
【請求項７】
前記リムが、前記エンドプレートの前記電気化学的に活性な領域内の中心に位置する、請求項１から６のいずれか一項に記載の端子アセンブリ。
【請求項８】
前記側壁が、前記端子壁および前記リムに対して直角である、請求項１から７のいずれかに記載の端子アセンブリ。
【請求項９】
前記側壁が、前記端子壁から前記リムへと、半径方向に外向きに延びる、請求項１から７のいずれか一項に記載の端子アセンブリ。
【請求項１０】
前記端子エンドプレートの前記内面に配置されたカソードアセンブリをさらに含み、前記カソードアセンブリが、カソードケージ、セパレーター、および炭素材料を含む、請求項１から９のいずれか一項に記載の端子アセンブリ。
【請求項１１】
端子カソードアセンブリである、請求項１０に記載の端子アセンブリ。
【請求項１２】
前記端子エンドプレートの前記内面の少なくとも一部が粗面である、請求項１から９のいずれか一項に記載の端子アセンブリ。
【請求項１３】
端子アノードアセンブリである、請求項１２に記載の端子アセンブリ。
【請求項１４】
前記端子エンドプレートの前記外面に対向し、かつそれと接触して解放可能に固定されている圧縮板をさらに含み、前記圧縮板が、前記導電性カップ形状部材を受容するように構成されたアパーチャーを含む、請求項１から１３のいずれか一項に記載の端子アセンブリ。
【請求項１５】
前記導電性カップ形状部材の少なくとも前記端子壁が、前記圧縮板の前記アパーチャーを通して露出している、請求項１４に記載の端子アセンブリ。
【請求項１６】
第１の面および第２の面を含むフレーム部材をさらに含み、前記第１の面が、前記導電性カップ形状部材の反対側で、前記端子エンドプレートの内面に対向し、かつ受容する、請求項１から９のいずれか一項に記載の端子アセンブリ。
【請求項１７】
前記フレーム部材の前記第２の面が、双極電極に対向しており、前記双極電極が、
前記フレーム部材の前記第２の面に固定された前面を含む双極電極板と、
前記双極電極板の前記前面上に配置されたカソードアセンブリであって、前記双極電極板の前記前面と前記端子エンドプレートの前記内面との間に介在しており、カソードケージ、セパレーター、および炭素材料を含む、カソードアセンブリと
を含む、請求項１６に記載の端子アセンブリ。
【請求項１８】
前記導電性カップ形状部材の前記リムが、前記端子エンドプレートの前記第１の表面に、溶接または接着剤によって接合されている、請求項１から１７のいずれか一項に記載の端子アセンブリ。
【請求項１９】
前記接着剤が、電気的に伝導性である、請求項１８に記載の端子アセンブリ。
【請求項２０】
前記導電性カップ形状部材が、銅合金、銅／チタンクラッド、アルミニウム、または電気伝導性セラミックの少なくとも１つを含む、請求項１から１９のいずれか一項に記載の端子アセンブリ。
【請求項２１】
前記端子壁および前記側壁の内部面が、銅を含む、請求項１から２０のいずれか一項に記載の端子アセンブリ。
【請求項２２】
前記端子壁および前記側壁の外部面が、チタン材料を含む、請求項１から２１のいずれか一項に記載の端子アセンブリ。
【請求項２３】
前記導電性カップ形状部材または前記端子エンドプレートの少なくとも１つが、チタンおよび銅の少なくとも１つを含む、請求項１から１９のいずれか一項に記載の端子アセンブリ。
【請求項２４】
前記導電性カップ形状部材が第１の金属を含み、前記端子エンドプレートが第２の金属を含む、請求項１から１９のいずれか一項に記載の端子アセンブリ。
【請求項２５】
前記リムが、前記側壁から半径方向に外向きに延びるフランジを含む、請求項１から２４のいずれか一項に記載の端子アセンブリ。
【請求項２６】
長手軸を画定するバッテリー積層体であって、
電気化学セルアセンブリの対応する近位端および遠位端における１対の端子アセンブリであって、各端子アセンブリが、
端子壁、側壁、および前記側壁によって前記端子壁から離間しているリムを含む導電性カップ形状部材と、
内面および外面を有し、前記外面において対応する前記リムと接合する端子エンドプレートであって、前記接合によって、対応する端子壁が対応する端子と接触しているときに、前記対応する端子と前記端子エンドプレート間の前記カップ形状部材内を通る双方向均一電流が可能になる、端子エンドプレートと
を含む、１対の端子アセンブリと；
前記長手軸に沿って平行に配置され、前記１対の端子アセンブリの間に介在する、少なくとも１対の双極電極であって、双極電極の各対が、
少なくとも１対の双極電極の第１の双極電極であって、
第１の双極電極板、
第１の炭素材料、
第１のセパレーター、および
前記第１の双極電極板の第１の前面と電気連通する前記第１の炭素材料を保持するように構成された第１のカソードケージ
を含む、少なくとも１対の双極電極の第１の双極電極と、
前記少なくとも１対の双極電極の第２の双極電極であって、
第２の双極電極板、
第２の炭素材料、
第２のセパレーター、および
前記第２の双極電極板の第２の前面と電気連通する前記第２の炭素材料を保持するように構成された第２のカソードケージ
を含む、前記少なくとも１対の双極電極の第２の双極電極と
を含む、少なくとも１対の双極電極と；
前記第１の双極電極板と前記第２の双極電極板の間に介在する水性電解質と
を含む、バッテリー積層体。
【請求項２７】
対応する各端子エンドプレートが、対応する前記リムによって囲まれた第１の表面区域と、対応する前記リムの外周の外側にある残りの第２の表面区域とを含む電気化学的に活性な領域を含み、前記第１および第２の表面区域は実質的に等しい、請求項２６に記載のバッテリー積層体。
【請求項２８】
前記リムが、実質的に円形、実質的に楕円形、または実質的に長方形である、請求項２６または２７のいずれかに記載のバッテリー積層体。
【請求項２９】
各端子壁が、対応する前記端子エンドプレートの前記外面から離れるように突出する、請求項２６から２８のいずれか一項に記載のバッテリー積層体。
【請求項３０】
前記端子壁の１つが、前記長手軸に沿った近位方向で、対応する前記端子エンドプレートの外面から離れるように突出し、他の端子壁が、前記長手軸に沿った反対の遠位方向で、対応する前記端子エンドプレートの前記外面から離れるように突出する、請求項２９に記載のバッテリー積層体。
【請求項３１】
各端子アセンブリが、対応する前記端子エンドプレートの前記外面に対向し、かつそれと接触して解放可能に固定されている、対応する圧縮板をさらに含み、各圧縮板が、対応する前記導電性カップ形状部材を受容するように構成されたアパーチャーを含む、請求項２６から３０のいずれか一項に記載のバッテリー積層体。
【請求項３２】
前記導電性カップ形状部材の前記端子壁が、前記バッテリー積層体の前記近位端および遠位端の対応する方において露出している、請求項３１に記載のバッテリー積層体。
【請求項３３】
前記端子アセンブリの１つが、対応する前記導電性カップ形状部材の反対側で、対応する前記端子エンドプレートの内面に配置されたカソードアセンブリをさらに含み、前記カソードアセンブリは、前記端子エンドプレートの前記内面と、隣接する前記第１の双極電極板の背面との間に介在する、請求項２６から３２のいずれか一項に記載のバッテリー積層体。
【請求項３４】
各リムが、対応する前記エンドプレートの電気化学的に活性な領域の中心に位置する、請求項２６から３３のいずれか一項に記載のバッテリー積層体。
【請求項３５】
前記導電性カップ形状部材の各リムが、対応する前記端子エンドプレートの外向きの表面に、溶接または接着剤によって接合されている、請求項２６から３４のいずれか一項に記載のバッテリー積層体。
【請求項３６】
前記接着剤が電気的に伝導性である、請求項３５に記載のバッテリー積層体。
【請求項３７】
前記導電性カップ形状部材の少なくとも１つが、銅合金、銅／チタンクラッド、アルミニウム、または電気伝導性セラミックの少なくとも１つを含む、請求項２６から３６のいずれか一項に記載のバッテリー積層体。
【請求項３８】
前記導電性カップ形状部材の少なくとも１つの内部面が銅を含む、請求項２６から３７のいずれか一項に記載のバッテリー積層体。
【請求項３９】
前記導電性カップ形状部材の少なくとも１つの外部面が、銅、チタン、および電気伝導性セラミックの少なくとも１つを含む、請求項２６から３８のいずれか一項に記載のバッテリー積層体。
【請求項４０】
対応する各端子が、対応する前記端子壁の中心の部位に接触している、請求項２６から３９のいずれか一項に記載のバッテリー積層体。
【請求項４１】
前記リムが、前記側壁から半径方向に外向きに延びるフランジを含む、請求項２６から４０のいずれか一項に記載のバッテリー積層体。
【手続補正２】
【補正対象書類名】明細書
【補正対象項目名】０００８
【補正方法】変更
【補正の内容】
【０００８】
一態様では、本発明は、電気化学セル用の端子アセンブリであって、導電性カップ形状部材であり、電気化学セルの端子と接触しているときに端子と電気連通する端子壁、側壁、および側壁によって端子壁から離間しているリムを含む、導電性カップ形状部材と；端子壁と平行である外面および内面を有し、外面においてリムと接合する端子エンドプレートであり、接合によって、端子壁が端子と接触しているときに、端子と端子エンドプレート間のカップ形状部材内を通る双方向均一電流が可能になり、端子エンドプレートは、リムによって囲まれた第１の表面区域と、リムの外周の外側にある残りの第２の表面区域とを含む電気化学的に活性な領域を有し、第１および第２の表面区域は実質的に等しい、端子エンドプレートとを含む、端子アセンブリを提供する。
【手続補正３】
【補正対象書類名】明細書
【補正対象項目名】００２７
【補正方法】変更
【補正の内容】
【００２７】
本発明の別の態様は、長手軸を画定するバッテリー積層体であって、電気化学セルアセンブリの対応する近位端および遠位端における１対の端子アセンブリであり、各端子アセンブリが、端子壁、側壁、および側壁によって端子壁から離間しているリムを含む導電性カップ形状部材と、端子壁と平行である内面および外面を有し、外面において対応するリムと接合する端子エンドプレートであり、接合によって、対応する端子壁が対応する端子と接触しているときに、対応する端子と端子エンドプレート間のカップ形状部材内を通る双方向均一電流が可能になる、端子エンドプレートとを含む、１対の端子アセンブリと；長手軸に沿って平行に配置構成され、１対の端子アセンブリの間に介在する、少なくとも１対の双極電極であり、双極電極の各対が、少なくとも１対の双極電極の第１の双極電極であり、第１の双極電極板、第１の炭素材料、第１のセパレーター、および第１の双極電極板の第１の前面と電気連通する第１の炭素材料を保持するように構成された第１のカソードケージを含む、少なくとも１対の双極電極の第１の双極電極と、少なくとも１対の双極電極の第２の双極電極であり、第２の双極電極板、第２の炭素材料、第２のセパレーター、および第２の双極電極板の第２の前面と電気連通する第２の炭素材料を保持するように構成された第２のカソードケージを含む、少なくとも１対の双極電極の第２の双極電極とを含む、少なくとも１対の双極電極と；第１の双極電極板と第２の電極板の間に介在する水性電解質とを含む、バッテリー積層体を提供する。
【手続補正４】
【補正対象書類名】明細書
【補正対象項目名】０１５８
【補正方法】変更
【補正の内容】
【０１５８】
端子アセンブリは、内面および外面３１８、３１６を有する端子エンドプレート３０２をさらに含み、これらの面は、端子壁と少なくとも実質的に平行でありかつ外面３１６でリムに接合されている。端子エンドプレート３０２は、炭化チタン材料でコーティングされたチタン材料、貫通穴、または粗い内面などを含むがこれらに限定することのない、双極電極板に存在する特徴のいずれかを含むように形成されてもよい。カップ形状部材のリムは、リムが、端子エンドプレートの電気化学的に活性な領域３２２をほぼ中心として配置されるように、端子エンドプレート３０２に接合する。一部の実施形態では、電気化学的に活性な領域３２２は、電気化学セルまたはバッテリー積層体の充放電サイクル中に、隣接する双極電極に化学的または電気的に連通する端子エンドプレートの内面と外面との間を延びる領域に対応する。これらの実施形態では、バッテリーの負のカソード端子に関連付けられた端子エンドプレートに関する電気化学的に活性な領域は、端子エンドプレート（例えば、端子カソードエンドプレート）の内面上に配置されたカソードアセンブリによって囲まれた区域に対応しまたは画定される。バッテリーの正のアノード端子に関連付けられた端子エンドプレートに関する電気化学的に活性な領域は、隣接する双極電極板の前面に配置されたカソードアセンブリに対向し、かつバッテリーの充電後に亜鉛金属の層を形成する、その内面上の区域に対応してもよい（端子アノードアセンブリ）。一部の実施形態では、端子アノードアセンブリの端子エンドプレートの内面（例えば、少なくとも化学的に活性な領域）の少なくとも一部は、粗面である。
【手続補正５】
【補正対象書類名】明細書
【補正対象項目名】０２８４
【補正方法】変更
【補正の内容】
【０２８４】
図１９および２０を参照すると、本発明の別の態様は、長手軸Ｌを画定する双極バッテリー積層体を提供し、双極バッテリー１０００は、バッテリーの対応する近位および遠位端に１対の端子アセンブリ１０４を含んでおり、各端子アセンブリは、端子壁３１２、側壁３０４、および側壁によって端子壁から離間されたリム３０６を含む導電性カップ形状部材３１０；ならびに端子壁と平行である外面および内面３１６、３１８を有し、かつ外面で対応するリムに接合している端子エンドプレート３０２を含んでおり、この接合によって、対応する端子壁が対応する端子に電気接触するときに、対応する端子３０８とエンドプレートとの間のカップ形状部材内を通る二方向均一電流が可能になる。一部の実施形態では、端子アセンブリは、図１２〜１７を参照して既に述べた端子アセンブリ１０４に対応する。一部の実施形態では、バッテリー積層体１０００は、端子アセンブリの対の間で平行な向きに配置構成された少なくとも１対の中間双極電極１０２、１０２’をさらに含む。これらの実施形態では、中間セルは、端子アセンブリ間に電流を分布させるための双極電極を含む。各中間セルは、セルの構成要素を収容するフレーム部材１１４を含む。
【手続補正６】
【補正対象書類名】明細書
【補正対象項目名】０３７３
【補正方法】変更
【補正の内容】
【０３７３】
前述の内容は、本発明の好ましい実施形態にのみ関するものであり、そこには、以下の特許請求の範囲およびその均等物によって定義される本発明の精神および範囲から逸脱することなく数多くの変更および修正を行ってもよいことが、明らかにされるべきである。
本発明の実施形態において、例えば以下の項目が提供される。
（項目１）
電気化学セル用の端子アセンブリであって、
導電性カップ形状部材であり、
前記電気化学セルの端子と接触しているときに前記端子と電気連通する端子壁、
側壁、および
前記側壁によって前記端子壁から離間しているリム
を含む導電性カップ形状部材と、
前記端子壁と同一平面上にある外面および内面を有し、前記外面において前記リムに接合する端子エンドプレートであり、前記接合によって、前記端子壁が前記端子と接触しているときに、前記端子と前記端子エンドプレート間の前記カップ形状部材内を通る双方向均一電流が可能になり、前記端子エンドプレートは、前記リムによって囲まれた第１の表面区域と、前記リムの外周の外側にある残りの第２の表面区域とを含む電気化学的に活性な領域を有し、前記第１および第２の表面区域は実質的に等しい、端子エンドプレートとを含む、端子アセンブリ。
（項目２）
前記リムが、実質的に円形である、項目１に記載の端子アセンブリ。
（項目３）
前記リムの半径が、前記エンドプレートの前記電気化学的に活性な領域の周縁と前記リムの前記外周との間の距離に実質的に等しい、項目２に記載の端子アセンブリ。
（項目４）
前記リムが、実質的に楕円形であり、長軸、および前記長軸に対して直角である短軸によって画定され、前記長軸および前記短軸は、前記リムの中心で交差する、項目１に記載の端子アセンブリ。
（項目５）
前記リムの長半径が、前記長軸に沿って、前記短軸に対して平行な前記リムの前記外周から前記エンドプレートの前記電気化学的に活性な領域の周縁へと延びる、第１の距離と実質的に等しく、
前記リムの短半径が、前記短軸に沿って、前記長軸に対して平行な前記リムの前記外周から前記エンドプレートの前記電気化学的に活性な領域の周縁へと延びる、第２の距離と実質的に等しい、
項目４に記載の端子アセンブリ。
（項目６）
前記リムが、前記端子壁および前記側壁の内部面によって画定される内部領域の開口を画定し、前記端子エンドプレートの前記外面が、前記リムに接合されたとき、前記内部領域の前記開口を囲む、項目１から５のいずれか一項に記載の端子アセンブリ。
（項目７）
前記リムが、前記エンドプレートの前記電気化学的に活性な領域内の中心に位置する、項目１から６のいずれか一項に記載の端子アセンブリ。
（項目８）
前記側壁が、前記端子壁および前記リムに対して直角である、項目１から７のいずれかに記載の端子アセンブリ。
（項目９）
前記側壁が、前記端子壁から前記リムへと、半径方向に外向きに延びる、項目１から７のいずれか一項に記載の端子アセンブリ。
（項目１０）
前記端子エンドプレートの前記内面に配置されたカソードアセンブリをさらに含み、前記カソードアセンブリが、カソードケージ、セパレーター、および炭素材料を含む、項目１から９のいずれか一項に記載の端子アセンブリ。
（項目１１）
端子カソードアセンブリである、項目１０に記載の端子アセンブリ。
（項目１２）
前記端子エンドプレートの前記内面の少なくとも一部が粗面である、項目１から９のいずれか一項に記載の端子アセンブリ。
（項目１３）
端子アノードアセンブリである、項目１２に記載の端子アセンブリ。
（項目１４）
前記端子エンドプレートの前記外面に対向し、かつそれと接触して解放可能に固定されている圧縮板をさらに含み、前記圧縮板が、前記導電性カップ形状部材を受容するように構成されたアパーチャーを含む、項目１から１３のいずれか一項に記載の端子アセンブリ。
（項目１５）
前記導電性カップ形状部材の少なくとも前記端子壁が、前記圧縮板の前記アパーチャーを通して露出している、項目１４に記載の端子アセンブリ。
（項目１６）
第１の面および第２の面を含むフレーム部材をさらに含み、前記第１の面が、前記導電性カップ形状部材の反対側で、前記端子エンドプレートの内面に対向し、かつ受容する、項目１から９のいずれか一項に記載の端子アセンブリ。
（項目１７）
前記フレーム部材の前記第２の面が、双極電極に対向しており、前記双極電極が、
前記フレーム部材の前記第２の面に固定された前面を含む双極電極板と、
前記双極電極板の前記前面上に配置されたカソードアセンブリであって、前記双極電極板の前記前面と前記端子エンドプレートの前記内面との間に介在しており、カソードケージ、セパレーター、および炭素材料を含む、カソードアセンブリと
を含む、項目１６に記載の端子アセンブリ。
（項目１８）
前記導電性カップ形状部材の前記リムが、前記端子エンドプレートの前記第１の表面に、溶接または接着剤によって接合されている、項目１から１７のいずれか一項に記載の端子アセンブリ。
（項目１９）
前記接着剤が、電気的に伝導性である、項目１８に記載の端子アセンブリ。
（項目２０）
前記導電性カップ形状部材が、銅合金、銅／チタンクラッド、アルミニウム、または電気伝導性セラミックの少なくとも１つを含む、項目１から１９のいずれか一項に記載の端子アセンブリ。
（項目２１）
前記端子壁および前記側壁の内部面が、銅を含む、項目１から２０のいずれか一項に記載の端子アセンブリ。
（項目２２）
前記端子壁および前記側壁の外部面が、チタン材料を含む、項目１から２１のいずれか一項に記載の端子アセンブリ。
（項目２３）
前記導電性カップ形状部材または前記端子エンドプレートの少なくとも１つが、チタンおよび銅の少なくとも１つを含む、項目１から１９のいずれか一項に記載の端子アセンブリ。
（項目２４）
前記導電性カップ形状部材が第１の金属を含み、前記端子エンドプレートが第２の金属を含む、項目１から１９のいずれか一項に記載の端子アセンブリ。
（項目２５）
前記リムが、前記側壁から半径方向に外向きに延びるフランジを含む、項目１から２４のいずれか一項に記載の端子アセンブリ。
（項目２６）
長手軸を画定するバッテリー積層体であって、
電気化学セルアセンブリの対応する近位端および遠位端における１対の端子アセンブリであって、各端子アセンブリが、
端子壁、側壁、および前記側壁によって前記端子壁から離間しているリムを含む導電性カップ形状部材と、
前記端子壁と同一平面上にある内面および外面を有し、前記外面において対応する前記リムと接合する端子エンドプレートであって、前記接合によって、対応する端子壁が対応する端子と接触しているときに、前記対応する端子と前記端子エンドプレート間の前記カップ形状部材内を通る双方向均一電流が可能になる、端子エンドプレートと
を含む、１対の端子アセンブリと；
前記長手軸に沿って平行に配置され、前記１対の端子アセンブリの間に介在する、少なくとも１対の双極電極であって、双極電極の各対が、
少なくとも１対の双極電極の第１の双極電極であって、
第１の双極電極板、
第１の炭素材料、
第１のセパレーター、および
前記第１の双極電極板の第１の前面と電気連通する前記第１の炭素材料を保持するように構成された第１のカソードケージ
を含む、少なくとも１対の双極電極の第１の双極電極と、
前記少なくとも１対の双極電極の第２の双極電極であって、
第２の双極電極板、
第２の炭素材料、
第２のセパレーター、および
前記第２の双極電極板の第２の前面と電気連通する前記第２の炭素材料を保持するように構成された第２のカソードケージ
を含む、前記少なくとも１対の双極電極の第２の双極電極と
を含む、少なくとも１対の双極電極と；
前記第１の双極電極板と前記第２の双極電極板の間に介在する水性電解質と
を含む、バッテリー積層体。
（項目２７）
対応する各端子エンドプレートが、対応する前記リムによって囲まれた第１の表面区域と、対応する前記リムの外周の外側にある残りの第２の表面区域とを含む電気化学的に活性な領域を含み、前記第１および第２の表面区域は実質的に等しい、項目２６に記載のバッテリー積層体。
（項目２８）
前記リムが、実質的に円形、実質的に楕円形、または実質的に長方形である、項目２６または２７のいずれかに記載のバッテリー積層体。
（項目２９）
各端子壁が、対応する前記端子エンドプレートの前記外面から離れるように突出する、項目２６から２８のいずれか一項に記載のバッテリー積層体。
（項目３０）
前記端子壁の１つが、前記長手軸に沿った近位方向で、対応する前記端子エンドプレートの外面から離れるように突出し、他の端子壁が、前記長手軸に沿った反対の遠位方向で、対応する前記端子エンドプレートの前記外面から離れるように突出する、項目２９に記載のバッテリー積層体。
（項目３１）
各端子アセンブリが、対応する前記端子エンドプレートの前記外面に対向し、かつそれと接触して解放可能に固定されている、対応する圧縮板をさらに含み、各圧縮板が、対応する前記導電性カップ形状部材を受容するように構成されたアパーチャーを含む、項目２６から３０のいずれか一項に記載のバッテリー積層体。
（項目３２）
前記導電性カップ形状部材の前記端子壁が、前記バッテリー積層体の前記近位端および遠位端の対応する方において露出している、項目３１に記載のバッテリー積層体。
（項目３３）
前記端子アセンブリの１つが、対応する前記導電性カップ形状部材の反対側で、対応する前記端子エンドプレートの内面に配置されたカソードアセンブリをさらに含み、前記カソードアセンブリは、前記端子エンドプレートの前記内面と、隣接する前記第１の双極電極板の背面との間に介在する、項目２６から３２のいずれか一項に記載のバッテリー積層体。
（項目３４）
各リムが、対応する前記エンドプレートの電気化学的に活性な領域の中心に位置する、項目２６から３３のいずれか一項に記載のバッテリー積層体。
（項目３５）
前記導電性カップ形状部材の各リムが、対応する前記端子エンドプレートの外向きの表面に、溶接または接着剤によって接合されている、項目２６から３４のいずれか一項に記載のバッテリー積層体。
（項目３６）
前記接着剤が電気的に伝導性である、項目３５に記載のバッテリー積層体。
（項目３７）
前記導電性カップ形状部材の少なくとも１つが、銅合金、銅／チタンクラッド、アルミニウム、または電気伝導性セラミックの少なくとも１つを含む、項目２６から３６のいずれか一項に記載のバッテリー積層体。
（項目３８）
前記導電性カップ形状部材の少なくとも１つの内部面が銅を含む、項目２６から３７のいずれか一項に記載のバッテリー積層体。
（項目３９）
前記導電性カップ形状部材の少なくとも１つの外部面が、銅、チタン、および電気伝導性セラミックの少なくとも１つを含む、項目２６から３８のいずれか一項に記載のバッテリー積層体。
（項目４０）
対応する各端子が、対応する前記端子壁の中心の部位に接触している、項目２６から３９のいずれか一項に記載のバッテリー積層体。
（項目４１）
前記リムが、前記側壁から半径方向に外向きに延びるフランジを含む、項目２６から４０のいずれか一項に記載のバッテリー積層体。